(57)【要約】  第１主平面を有する第１パネル（２）及び第２主平面を有する第２パネル（４）を含むパネルのセット。第１パネル及び第２パネルは機械的ロック装置を具備し、当該機械的ロック装置は、接合面（Ｊ）において第１パネル（２）の第１エッジを第２パネル（４）の第２エッジにロックするように構成される。第１主平面は、本質的に第２主平面に垂直であり、接合面は、第１主平面と第２主平面との間で延びる。機械的ロック装置は、第１エッジにおける、接合面（Ｊ）から延びるエッジ舌部（２２）と、第２エッジにおける、接合面でのエッジ溝（２１）と、を備える。エッジ舌部は、第１主平面に垂直である第１方向（Ｄ１）に第１エッジ及び第２エッジを一緒にロックするためにエッジ溝と協働するように構成される。機械的ロック装置は、第１エッジにおけるダボ（９１）と、第２エッジにおけるダボ溝（９２）とを含む。ダボ（９１）は、ダボ溝（９２）と協働するように構成される。ダボ（９１）の中心線（９７）は、第１パネル（２）の外側コーナー（９５）から第１方向に第１の距離（９３）がおかれて位置付けられる。ダボ溝（９２）は、第２パネル（４）の外側コーナー（９６）から第１方向へ第２の距離（９４）がおかれて位置付けられ、第２の距離（９４）は第１の距離（９３）よりも大きい。
2021518513.tif 000002
【特許請求の範囲】
【請求項１】
第１主平面を有する第１パネル（２）及び第２主平面を有する第２パネル（４）を含むパネルのセットであって、前記第１パネル及び前記第２パネルは機械的ロック装置を具備し、当該機械的ロック装置は、接合面（Ｊ）において前記第１パネル（２）の第１エッジを前記第２パネル（４）の第２エッジにロックするように構成され、前記第１主平面は、本質的に前記第２主平面に垂直であり、前記接合面は、前記第１主平面と前記第２主平面との間で延びており、前記機械的ロック装置は、
前記第１エッジにおける、前記接合面（Ｊ）から延びるエッジ舌部（２２）と、
前記第２エッジにおける、前記接合面でのエッジ溝（２１）と、を備え、
前記エッジ舌部は、前記第１主平面に垂直である第１方向（Ｄ１）に前記第１エッジ及び前記第２エッジを一緒にロックするために前記エッジ溝と協働するように構成され、
前記機械的ロック装置は、前記第１エッジにおけるダボ（９１）と、前記第２エッジにおけるダボ溝（９２）とを備え、
前記ダボ（９１）は、前記ダボ溝（９２）と協働するように構成され、
前記ダボ（９１）の中心線（９７）は、前記第１パネル（２）の外側コーナー（９５）から第１方向に第１の距離（９３）がおかれて位置付けられ、
前記ダボ溝（９２）は、前記第２パネル（４）の外側コーナー（９６）から前記第１方向に第２の距離（９４）がおかれて位置付けられ、
前記第２の距離（９４）は前記第１の距離（９３）よりも大きい、ことを特徴とするパネルのセット。
【請求項２】
前記第２の距離（９４）と前記第１の距離（９３）との間の差は、約０．１ｍｍ〜約０．５ｍｍの範囲内であるか、又は約０．３ｍｍである、請求項１に記載のセット。
【請求項３】
前記ダボ（９１）は、前記第１エッジで別のダボ溝（９９）に取り付けられている、請求項１又は２に記載のセット。
【請求項４】
前記ダボ（９１）は円筒形状である、請求項１〜３のいずれか一項に記載のセット。
【請求項５】
前記ダボ（９１）は、木材ベースの材料及びポリマー材料のうちの１以上から作られ、好ましくはガラス繊維又は金属などの補強材を有する、請求項１〜４のいずれか一項に記載のセット。
【請求項６】
エッジ舌部（２２）は前記第１パネルのコア材料で形成され、及び／又は、前記エッジ溝（２１）は前記第２パネルのコア材料で形成される、請求項１〜５のいずれか一項に記載のセット。
【請求項７】
前記エッジ舌部（２２）は舌部溝（１０）を含み、前記エッジ溝（２１）は可撓性舌部（３０）を含み、好ましくは当該可撓性舌部（３０）は溝（２０）に配置され、前記可撓性舌部は、前記第２主平面に垂直である第２方向（Ｄ２）に前記第１エッジ及び前記第２エッジを一緒にロックするために前記舌部溝（１０）と協働するように構成される、請求項１〜６のいずれか一項に記載のセット。
【請求項８】
前記接合面と前記第１主平面との間の角度は約４５°である、請求項１〜７のいずれか一項に記載のセット。
【請求項９】
エッジ舌部（２２）は、前記接合面から、本質的に前記第２方向に延びる、請求項１〜８のいずれか一項に記載のセット。
【請求項１０】
前記エッジ舌部（２２）は、本質的に前記第１エッジの全長に沿って前記第１エッジの長手方向に延び、前記第１パネル（２）の前エッジ（８１）から距離をおいて終わる、請求項１〜９のいずれか一項に記載のセット。
【請求項１１】
前記ダボ（９１）は、前記第１パネル（２）の前記前エッジ（８１）と前記エッジ舌部（２２）との間に位置付けられる、請求項１〜１０のいずれか一項に記載のセット。
【請求項１２】
前記エッジ溝（２１）は、本質的に前記第２エッジの全長に沿って前記第２エッジの長手方向に延び、前記第２パネル（４）の前エッジ（８２）から距離をおいて終わる、請求項１〜１１のいずれか一項に記載のセット。
【発明の詳細な説明】
【技術分野】
【０００１】
本発明の実施形態は、互いに垂直に配置され、機械的ロック装置で一緒にロックされうる複数のパネルに関する。パネルは、本棚、食器棚、ワードローブ、箱、引き出し、又は家具部品などの家具製品を得るように組み立てられて、一緒にロックされうる。ロック装置は、可撓性舌部を含みうる。
【背景技術】
【０００２】
ＷＯ２０１７／１３１５７４によって証明されるように、機械的ロック装置が装備される家具製品は当技術分野で知られている。その家具は、機械的ロック装置を含むマイタージョイント（ｍｉｔｒｅ  ｊｏｉｎｔ）によって第２パネルに垂直に接続された第１パネルを備える。
【先行技術文献】
【特許文献】
【０００３】
【特許文献１】ＷＯ２０１７／１３１５７４
【発明の概要】
【０００４】
本発明のある実施形態の１つの目的は、上記の技術及び既知の技術に対する改善を提供することである。具体的な目的は、機械的ロック装置によって一緒にロックされる家具パネルなどのパネルの組み立てを改善すること及び機械的ロック装置の強度を高めるか又は接合部における目に見えるギャップを減らすことである。パネルは、家具部品、引き出し、食器棚、本棚、ワードローブ、台所備品、又は箱などの家具製品の一部でありうる。
【０００５】
説明から明らかとなるこれらの及び他の目的及び利点の少なくともいくつかは、第１主平面を有する第１パネル及び第２主平面を有する第２パネルを具備するパネルのセットを含む発明の第１の態様によって達成された。第１パネル及び第２パネルは機械的ロック装置を備え、当該機械的ロック装置は、接合面で第１パネルの第１エッジを第２パネルの第２エッジにロックするために構成される。第１主平面は本質的に第２主平面に垂直であり、接合面は第１主平面と第２主平面との間に延びている。機械的ロック装置は：第１エッジにおいて、接合面から延びるエッジ舌部と；第２エッジにおいて、接合面でのエッジ溝と、を備え、エッジ舌部は、第１主平面に垂直な第１方向に第１エッジ及び第２エッジを一緒にロックするためにエッジ溝と協働するように構成される。機械的ロック装置は、第１エッジでのダボ（ｄｏｗｅｌ）と、第２エッジでのダボ溝と、をさらに備える。ダボは、ダボ溝と協働するように構成されている。ダボの中心線は、第１パネルの外側のコーナーから第１方向に第１の距離に位置付けられる。ダボ溝は、第２パネルの外側のコーナーから第１方向に第２の距離に位置付けられる。第２の距離は第１の距離よりも大きい。
【０００６】
ダボ及びダボ溝とそれらの位置とは、第１エッジが第２エッジに押し付けられるように構成される。これは、第１エッジ及び／又は第２エッジが湾曲形状を有する場合に接合面でのギャップが回避され又は減少される、という効果を有しうる。そのようなギャップは、パネルの前エッジでは特に望ましくない。
【０００７】
第２の距離と第１の距離との間の差は、約０．１ｍｍ〜約０．５ｍｍの範囲内でありうるか、約０．３ｍｍである。
【０００８】
ダボは、第１エッジで別のダボ溝に取り付けられうる。
【０００９】
第１パネル及び第２パネルが組み立てられて機械的ロック装置と一緒にロックされる前に、ダボは、第２エッジでダボ溝に取り付けられうる。したがって、この実施形態では、ダボは、組み立て中に、第１エッジで、前記別のダボ溝に挿入される。
【００１０】
ダボは円筒形であってよい。
【００１１】
ダボは、フランジ、返し（ｂａｒｂｓ）、又はリブなどのロック要素を含みうる。
【００１２】
ダボは、好ましくはガラス繊維又は金属などの補強材を有する、木材ベース材料、ポリマー材料のうちの１つ又は複数から作製されうる。
【００１３】
エッジ舌部は、第１パネルのコア材料で形成されてもよいし、及び／又は、エッジ溝は、第２パネルのコア材料で形成されてもよい。
【００１４】
エッジ舌部は、舌部溝を含んでいてもよいし、エッジ溝は、可撓性舌部を含んでいてもよく、可撓性舌部は好ましくは挿入溝に配置され、前記可撓性舌部は、第１エッジ及び第２エッジを、第２主平面に垂直な方向である第２方向へ、一緒にロックするために舌部溝と協働するように構成される。
【００１５】
接合面と第１主平面との間の角度は約４５°であってもよい。
【００１６】
エッジ舌部は、接合面から、本質的に第２方向に延びていてもよい。
【００１７】
エッジ舌部は、本質的に第１エッジの全長に沿って第１エッジの長手方向に延在してもよく、第１パネルの前エッジから距離をおいて終了する。
【００１８】
ダボは、第１パネルの前エッジとエッジ舌部との間に位置付けられてもよい。
【００１９】
エッジ溝は、本質的に第２エッジの全長に沿って第２エッジの長手方向に延在してもよく、第２パネルの前エッジから距離をおいて終了する。
【００２０】
可撓性舌部は、挿入溝において動かすことが可能であってもよい。
【００２１】
第１パネル及び第２パネルのコア材料は、ＨＤＦ、ＭＤＦ、合板、無垢材又はパーティクルボードなどの木材繊維ベースのボード、又は強化プラスチックボード、又は木質繊維複合ボードを含みうる。コアには装飾層が設けられていてもよい。
【００２２】
ロック装置は、舌部溝の開口部にベベル又は丸みを備えていてもよい。可撓性舌部が分解の間に動かなくなるのをベベル又は丸みが防ぐことができるので、これは分解を容易にしうる。
【００２３】
ロック装置は、好ましくは、ツールが舌部溝内に挿入され、挿入溝内に押し戻される場合に、可撓性舌部が舌部溝から出るように構成される。
【００２４】
第１パネル及び第２パネルは、好ましくは、第１パネルを第２方向に第２パネルに対して変位させることによって組み立てられるように構成され、第１パネルは第２パネルに垂直である。エッジ舌部はエッジ溝内に挿入され、可撓性舌部は挿入溝内に押し戻され、舌部溝内に押し返されてロックされた位置を得る。
【００２５】
可撓性舌部は、ＷＯ２０１５／１０５４４９の図２Ａ〜図２Ｆ又は図３Ａ〜図３Ｂに記載され及び示されている可撓性舌部に従っていてもよい。ＷＯ２０１５／１０５４４９における図２Ａ〜図２Ｆ又は図３Ａ〜図３Ｂ及び明細書における付随する開示は、参照によりここに明示的に組み込まれる。
【００２６】
パネルのセットは家具パネルであってもよい。
【００２７】
発明の第２の態様は、上記のようなパネルのセットを具備するフレームのコーナーを備える組み立てられた家具製品を含む。
【図面の簡単な説明】
【００２８】
発明の実施形態が可能であるこれらの及び他の態様、特徴及び利点は、本発明の実施形態の以下の説明から明らかであり且つ解明され、以下の添付の図面が参照される。
【図１】図１は、組み立てられた家具製品の実施形態を示す。
【図２】図２は、機械的ロック装置の実施形態とともにロックされた第１パネル及び第２パネルの実施形態を示す。
【図３】図３は、可撓性舌部がない図２において円で囲まれた領域の拡大を示す。
【図４Ａ】図４Ａ〜図４Ｆは、可撓性舌部の実施形態を備える発明の実施形態の一部を示す。
【図４Ｂ】図４Ａ〜図４Ｆは、可撓性舌部の実施形態を備える発明の実施形態の一部を示す。
【図４Ｃ】図４Ａ〜図４Ｆは、可撓性舌部の実施形態を備える発明の実施形態の一部を示す。
【図４Ｄ】図４Ａ〜図４Ｆは、可撓性舌部の実施形態を備える発明の実施形態の一部を示す。
【図４Ｅ】図４Ａ〜図４Ｆは、可撓性舌部の実施形態を備える発明の実施形態の一部を示す。
【図４Ｆ】図４Ａ〜図４Ｆは、可撓性舌部の実施形態を備える発明の実施形態の一部を示す。
【図５Ａ】図５Ａは、マイタージョイントで組み立てられた２つのパネルの実施形態を示す。
【図５Ｂ】図５Ｂは、図５Ａにおいて円で囲まれた領域の拡大を示す。
【図６Ａ】図６Ａは、底面図における第１パネルの実施形態を示す。
【図６Ｂ】図６Ｂは、側面図における第１パネルの実施形態を示す。
【図６Ｃ】図６Ｃは、３Ｄビューにおける第１パネルの実施形態を示す。
【図７Ａ】図７Ａは、底面図における第２パネルの実施形態を示す。
【図７Ｂ】図７Ｂは、側面図における第２パネルの実施形態を示す。
【図７Ｃ】図７Ｃは、３Ｄビューにおける第２パネルの実施形態を示す。
【図８】図８は、機械的ロック装置の実施形態とともにロックされた第１パネル及び第２パネルの実施形態を示す。
【図９】図９は、組み立てる前の、可撓性舌部のない、第１パネル及び第２パネルの実施形態のコーナー部分の拡大を示す。
【図１０】図１０は、組み立てる前の、可撓性舌部のない、第１パネル及び第２パネルの実施形態のコーナー部分の拡大を示す。
【発明を実施するための形態】
【００２９】
次に、発明の具体的な実施形態が、添付の図面を参照して説明される。ただし、この発明は、多くの異なる形態で具体化されることができ、ここに記載されている実施形態に限定されるものと解釈されるべきではない；むしろ、これらの実施形態は、この開示が詳細かつ全面的であり、発明の範囲を当業者に十分に伝えるように提供される。添付の図面に示されている実施形態の詳細な説明で使用されている用語は、発明を限定することを意図されてはいない。図面では、同様の番号は同様の要素を指す。
【００３０】
マイタージョイントと一緒に結合されたパネルを含む、家具製品などの、組み立てられた製品の実施形態が図１に示されている。
【００３１】
発明の実施形態は、３Ｄビューで図１に示されるような、組み立てられた製品のための、機械的ロック装置を含むパネルのセットに関する。
【００３２】
図２は、第１主平面を有する第１パネル２と、第２主平面を有する第２パネル４とを具備するパネルのセットを含む実施形態を示す。図３は、可撓性舌部がない図２において円で囲まれた領域の拡大を示す。第１パネル及び第２パネルには、接合面Ｊにおいて、第１パネル２の第１エッジを第２パネル４の第２エッジにロックするための機械的ロック装置が与えられている。第１主平面は本質的に第２主平面に垂直であり、接合面は第１主平面と第２主平面との間に延在している。パネルは、クロスカットビュー（ｃｒｏｓｓｃｕｔ  ｖｉｅｗ）でロックされた位置で示される。第１エッジ及び第２エッジの長手方向は、示されている図に対して垂直に延びる。第１エッジは、接合面Ｊから延びるエッジ舌部２２を含む。第２エッジは、接合面でエッジ溝２１を含み、エッジ舌部は、第１主平面に垂直な第１方向Ｄ１に第１エッジ及び第２エッジを一緒にロックするためにエッジ溝と協働するように構成される。
【００３３】
エッジ舌部２２は、舌部溝１０を備える。エッジ溝２１は、挿入溝２０に配置された可撓性舌部３０を含み、前記可撓性舌部は、第２主平面に垂直である第２方向Ｄ２に第１エッジ及び第２エッジを一緒にロックするために舌部溝１０と協働するように構成される。
【００３４】
機械的ロック装置は、エッジ溝２１の開口部において及び第１エッジと第２エッジとのロック位置での接合面において、エッジ舌部２２とエッジ溝２１との間に第１スペース４６を備えうる。第１スペース４６は、エッジ溝の開口部での第２エッジの一部の荷重が回避されるという利点を有しうる。荷重を吸収するために利用できる材料がほとんどないため、第２エッジのこの部分は弱い部分であるかもしれない。接合面と第１主平面との間の角度７４は、約４５°であってもよい。エッジ舌部２２は、好ましくは、接合面から、本質的に第２方向に延びる。
【００３５】
第１パネル２は第１の厚さ６５を有し、第２パネル４は第２の厚さ６４を有する。第１の厚さ及び第２の厚さは、本質的に同じであってもよい。第１パネル２は、第１パネルの厚さの方向に、第１パネルの中央面６８の第１の側での内側半分部分６６と、第１パネルの中央面６８の第２の側での外側半分部分６７と、を備える。エッジ舌部２２全体は、好ましくは、第１パネルの内側半分部分にある。これは、第１パネル及び第２パネルのロック位置において、エッジ溝２１と外側コーナーとの間により多くの材料が得られるという効果を有しうるものであり、これは、機械的ロック装置の強度を増加させうる。第１パネルは、内面６０及び外面６１を備える。第２パネルは、内面６２及び外面６３を備える。
【００３６】
図３は、エッジ舌部２２の第１の側が、接合面Ｊにおいて、第１ロック面４１を含みうること、エッジ溝２１が、接合面Ｊにおいて、第２ロック面４０を含みうることを示す。第１ロック面及び第２ロック面は本質的に平行であり、第１方向にロックするために協働するように構成される。第１ロック面及び第２ロック面は、好ましくは、本質的に第２方向に延びる。エッジ舌部２２は、第１の側の反対である第２の側で、第３ロック面４３を含んでいてもよく、エッジ溝２１は第４ロック面４２を含んでいてもよく、第３ロック面及び第４ロック面は、本質的に平行であり、第１方向にロックするために接合面から距離をおいて協働するように構成される。第３ロック面及び第４ロック面は、好ましくは、本質的に第２方向に延びる。前記平行な第１ロック面、第２ロック面、第３ロック面及び第４ロック面は、パネルを組み立てることが容易であること、及び、例えば前記パネルのセットを含む家具が、より安定しうることという利点を有しうる。第４ロック面４２は、好ましくは、第２ロック面４０よりも中央面６８に近い。
【００３７】
第３ロック面４３及び第４ロック面４２は、第２方向に第１の距離４７にわたって延びる領域で、荷重を吸収するために協働することができる。第３ロック面及び第４ロック面は、好ましくは、接合面から第２の距離４８だけずらされている。これは、第１方向Ｄ１において、第４ロック面４２と接合面との間により多くの材料が得られるという効果を有しうるものであり、これは、機械的ロック装置の強度を増加させうる。第１の距離４７は、第２の距離４８の約２０％〜約２００％の範囲内であってもよく、又は第２の距離４８の約５０％〜約１５０％の範囲内であってもよい。第１の距離４７は、図３に示される実施形態における第２の距離４８と本質的に同じである。
【００３８】
接合面から距離がおかれているエッジ舌部２２の第１の側は、第５ロック面４５を含んでいてもよく、エッジ溝２１は、接合面Ｊから距離がおかれている第６ロック面４４を含んでいてもよい。第５ロック面及び第６ロック面は本質的に平行であり、好ましくは、第１方向にロックするために協働するように構成される。第５ロック面及び第６ロック面は、好ましくは、本質的に第２方向に延びる。挿入溝２０は、図３に示される実施形態において、第６ロック面４４と第２ロック面４０との間に位置付けられる。舌部溝１０は、第５ロック面４５と第１ロック面４１との間に位置付けられてもよい。
【００３９】
第１パネル２及び第２パネル４は、好ましくは、第１パネル２を第２パネル４に対して第２方向Ｄ２に変位させることによって組み立てられるように構成され、第１パネルは第２パネルに垂直である。エッジ舌部２２は、エッジ溝２１内に挿入され、可撓性舌部３０は、挿入溝内に押し戻され、舌部溝１０内にスプリングバック（ｓｐｒｉｎｇｓ  ｂａｃｋ）してロック位置を得る。パネルのセットは家具パネルであってもよい。
【００４０】
挿入溝２０は、本質的にエッジ溝の全長に沿って延びていてもよい。
【００４１】
図５Ａは、マイタージョイントで結合されたパネル１０２、１０４を示し、図５Ｂは、図５Ａにおいて円で囲まれた領域の拡大を示す。パネルのうちの１つがマイタージョイントでエッジに沿って湾曲した形状８６を有する場合、パネル１０２、１０４は、パネルの前エッジ８１、８２でマイタージョイントにギャップ８５を示しうる。それらのパネルは、荷重によって湾曲した形状を得ていてもよく、例えば、木質ベースのパネルは、湿度の変化により湾曲した形状を得ていてもよい。
【００４２】
図６Ａ〜図６Ｃは、それぞれ、底面図、側面図、及び３Ｄ図における第１パネルの実施形態を示す。第１パネルの実施形態は、エッジ舌部２２の実施形態を備え、当該エッジ舌部２２の実施形態は、第１エッジの長手方向に本質的に第１エッジの全長に沿って延在し、第１パネル２の第１エッジ８１から距離をおいて前端部８７で終了する。ダボ９１は、第１パネル２の前エッジ８１から距離をおいて位置付けられうる。ダボ９１は、エッジ舌部２２の前端部８７と第１パネル２の前エッジ８１との間に位置付けられうる。
【００４３】
図７Ａ〜図７Ｃは、それぞれ、底面図、側面図、及び３Ｄ図における第２パネルの実施形態を示す。エッジ溝２１は、本質的に第２エッジの全長に沿って第２エッジの長手方向に延在してもよく、第２パネル４の前エッジ８２から距離をおいて前端部８８で終了してもよい。ダボ溝９２は、第２パネル４の前エッジ８２から距離をおいて位置付けられてもよい。ダボ溝９２は、エッジ溝２１の前端部８８と第２パネル４の前エッジ８２との間に位置付けられてもよい。
【００４４】
図８は、機械的ロック装置の実施形態と一緒にロックされた第１パネル及び第２パネルの実施形態を示し、図９及び１０は、可撓性舌部３０のない、組み立て前の第１パネル及び第２パネルの実施形態のコーナー部分の拡大を示す。
【００４５】
図６〜図８に示される実施形態は、第１主平面を有する第１パネルと、第２主平面を有する第２パネルとを含み、第１パネル及び第２パネルは、第１パネル２の第１エッジを接合面Ｊで第２パネル４の第２エッジにロックするように構成される機械的ロック装置を含む。第１主平面は本質的に第２主平面に垂直であり、接合面は第１主平面と第２主平面との間に延在する。機械的ロック装置は、第１エッジで接合面Ｊから延びるエッジ舌部２２を含み、第２エッジで接合面においてエッジ溝２１を含む。エッジ舌部は、第１主平面に垂直である第１方向Ｄ１に第１エッジ及び第２エッジを一緒にロックするためにエッジ溝と協働するように構成される。
【００４６】
図９は機械的ロック装置の実施形態を示し、当該機械的ロック装置の実施形態は、第１エッジにおけるダボ９１と、第２エッジにおけるダボ溝９２とを備え、ダボ９１はダボ溝９２と協働するように構成される。ダボ９１の中心線９７は、第１パネル２の外側コーナー９５から第１方向に第１の距離９３に位置付けられる。ダボ溝９２は、第２パネル４の外側コーナー９６から第１方向に第２の距離９４に位置付けられ、第２の距離９４は第１の距離９３よりも大きい。
【００４７】
第２の距離９４と第１の距離９３との間の差は、約０．１ｍｍ〜約０．５ｍｍの範囲内であってもよいし、又は約０．３ｍｍである。
【００４８】
図１０は機械的ロック装置の実施形態を示し、当該機械的ロック装置の実施形態は第１エッジにおけるダボ９１と、第２エッジにおけるダボ溝９２とを備える。ダボ９１の外面１０５は、ダボ溝９２の外面１０６と協働するように構成される。ダボ９１の外面１０５は、第１パネル２の外側コーナー９５から第１方向に第３の距離１０７に位置付けられる。ダボ溝９２の外面１０６は、第２パネル４の外側コーナー９６から第１方向に第４の距離１０８に位置付けられ、第４の距離１０８は第３の距離１０７よりも大きい。
【００４９】
ダボ９１の外面１０５は、第１パネル２の外面６１と平行であってもよい。
【００５０】
ダボ９１の外面１０５は、第１方向において、第１パネル２の外側コーナー９５に最も近いダボの表面であってもよい。
【００５１】
ダボ溝９２の外面１０６は、第２パネル４の外面６３に垂直であってもよい。
【００５２】
ダボ溝９２の外面１０６は、第１方向において、第２パネル４の外側コーナー９６に最も近いダボ溝の表面であってもよい。
【００５３】
第４の距離１０８と第３の距離１０７との間の差は、約０．１ｍｍ〜約０．５ｍｍの範囲内であってもよいし、又は約０．３ｍｍである。
【００５４】
ダボ９１は、第１エッジで別のダボ溝９９に取り付けられてもよい。
【００５５】
第１パネル２及び第２パネル４が組み立てられて機械的ロック装置と一緒にロックされる前に、ダボは第２エッジでダボ溝９２に取り付けられてもよい。したがって、この実施形態において、ダボは、組み立て中に、第１エッジで、前記別のダボ溝９９に挿入される。
【００５６】
ダボ９１は円筒形形状であってもよい。直径は、約５ｍｍ〜約８ｍｍの範囲であってもよい。
【００５７】
ダボ溝９２及び／又は前記別のダボ溝９９は、ドリル穴又は閉止されたドリル穴などの本質的に円筒形形状であってもよい。直径は、約５ｍｍ〜約８ｍｍの範囲であってもよい。
【００５８】
ダボ９１は、木材ベース材料、ポリマー材料のうちの１つ又は複数から作られてもよく、好ましくはガラス繊維又は金属などの補強材を有する。
【００５９】
エッジ舌部２２は、第１パネルのコア材料で及び／又は少なくとも部分的に第１パネルの表面層において、形成されてもよい。エッジ溝２１は、第２パネルのコア材料で及び／又は少なくとも部分的に第２パネルの表面層において、形成されてもよい。エッジ舌部２２は、第１パネルのコア材料とは別の材料で形成されてもよい。エッジ溝２１は、第２パネルのコア材料とは別の材料で形成されてもよい。
【００６０】
エッジ舌部２２は舌部溝１０を含んでいてもよく、エッジ溝２１は可撓性舌部３０を含んでいてもよく、当該可撓性舌部３０は好ましくは挿入溝２０に配置され、前記可撓性舌部は、第２主平面に垂直である第２方向Ｄ２へ第１エッジ及び第２エッジを一緒にロックするために舌部溝１０と協働するように構成される。
【００６１】
接合面と第１主平面との間の角度は約４５°であってもよい。
【００６２】
エッジ舌部２２は、接合面から、本質的に第２方向に延びてもよい。
【００６３】
エッジ舌部２２は、本質的に第１エッジの全長に沿って第１エッジの長手方向に延在してもよく、第１パネル２の前エッジ８１から距離をおいて終了する。
【００６４】
ダボ９１は、第１パネル２の前エッジ８１とエッジ舌部２２との間に位置付けられてもよい。
【００６５】
エッジ溝２１は、本質的に第２エッジの全長に沿って第２エッジの長手方向に延在してもよく、第２パネル４の前エッジ８２から距離をおいて終了する。
【００６６】
可撓性舌部３０は、挿入溝において変位可能であってもよい。
【００６７】
ロック装置は、好ましくは、ツールが舌部溝内に挿入されて挿入溝内に押し戻される場合に、可撓性舌部３０が舌部溝１０から出るように、構成される。
【００６８】
挿入溝２０は、第２主平面に平行であるか又は第２主平面に対して鋭角７５を成してもよく、その結果、挿入溝２０の底部は、エッジ溝への挿入溝の開口部よりも、第２パネルの内面６２からより大きな距離をおいてある。
【００６９】
ロック装置は、舌部溝の開口部においてベベル又は丸みを有していてもよい。これは、可撓性舌部が動かなくなるのを分解中にベベル又は丸みが防ぎうるため、分解を容易にしうる。
【００７０】
上記のパネルのセットは、フレームのコーナーなどの組み立てられた家具製品の一部であってもよい。舌部溝１０は、家具の裏側で開いていてもよく、それによってツールを舌部溝内に挿入して、可撓性舌部３０を挿入溝２０内に押し戻してロック装置のロックを解除することができる。
【００７１】
第１パネル及び第２パネルのコア材料は、ＨＤＦ、ＭＤＦ、合板、無垢材又はパーティクルボードなどの木材繊維ベースのボード、又は強化プラスチックボード、又は木質繊維複合ボードを含みうる。コアには装飾層が設けられてもよい。ロック装置の部品は、第１パネル及び第２パネルの材料で形成されてもよく、好ましくはフライス加工などの機械的切断によって形成されてもよい。
【００７２】
挿入溝２０において変位可能である可撓性舌部３０の実施形態が、図４Ａ〜図４Ｄに示されている。図４Ａ〜図４Ｂは、ロックされた位置での可撓性舌部３０を示し、図４Ｃ〜図４Ｄは、第１パネル２及び第２パネル４の組み立て中の可撓性舌部３０を示す。図４Ｂは、図４Ａにおける可撓性舌部３０の断面を示す。図４Ｄは、図４Ｃにおける可撓性舌部３０の断面を示す。可撓性舌部３０は、曲げ可能な突出部分２４を備える。可撓性舌部３０と挿入溝２０の底壁との間に空間２３が設けられている。図４Ｃは、第１パネル２の第２パネル４と一緒の組み立て中に、可撓性舌部３０が挿入溝２０内に、挿入溝２０の底壁に向かって押し込まれることを示す。第１パネル２及び第２パネル４がロック位置に達すると、可撓性舌部３０はその初期位置に向かって跳ね返る。窪み２５は、好ましくは、曲げ可能な突出部分の各々に配置される。
【００７３】
可撓性舌部３０は、挿入溝２０の第３変位面２８及び第４変位ロック面２９のそれぞれに沿って変位するように構成された第１変位面２６及び反対側の第２変位面２７を有しうる。
【００７４】
突出する曲げ可能部分２４を有さない、可撓性舌部３０の代替の実施形態が、図４Ｅ〜図４Ｆに示されている。図４Ｆは、図４Ｅに示される可撓性舌部３０の断面を示す。その代替の実施形態は、図４Ａ〜図４Ｄに示される実施形態と同じ機能を達成するために、その長さ方向に曲げることができる。
【図１】
2021518513.tif 000003
【図２】
2021518513.tif 000004
【図３】
2021518513.tif 000005
【図４Ａ】
2021518513.tif 000006
【図４Ｂ】
2021518513.tif 000007
【図４Ｃ】
2021518513.tif 000008
【図４Ｄ】
2021518513.tif 000009
【図４Ｅ】
2021518513.tif 000010
【図４Ｆ】
2021518513.tif 000011
【図５Ａ】
2021518513.tif 000012
【図５Ｂ】
2021518513.tif 000013
【図６Ａ】
2021518513.tif 000014
【図６Ｂ】
2021518513.tif 000015
【図６Ｃ】
2021518513.tif 000016
【図７Ａ】
2021518513.tif 000017
【図７Ｂ】
2021518513.tif 000018
【図７Ｃ】
2021518513.tif 000019
【図８】
2021518513.tif 000020
【図９】
2021518513.tif 000021
【図１０】
2021518513.tif 000022
【国際調査報告】
2021518513.tif 000023
2021518513.tif 000024
2021518513.tif 000025
2021518513.tif 000026
2021518513.tif 000027